(57)【要約】【課題】歩行時における足の異常な傾きを修正して正しい姿勢で歩くことができる靴および既成靴用中敷きの提供。【解決手段】既成靴２１の内底面２２上に敷き込まれる底面載置部４３と該底面載置部４３から延設された内側翼片部４４と外側翼片部４５とを備える中敷き本体４２と、内側翼片部４４と外側翼片部４５とに接合固着されるパッド３１とで構成され、内側翼片部４４は、内側楔状骨から第１中足骨側へと至る内側面領域との対面位置にある裏革部２３への対面配置を自在に延設され、外側翼片部１０２は、立方骨から第５中足骨側へと至る外側面領域との対面位置にある裏革部２３への対面配置を自在に延設され、パッド３１は、薄肉化した斜面部３２をその周縁部３３に備え、内側翼片部４４と外側翼片部４５との各裏面４４ａ，４５ａに斜面部３２側を対面させて接合固着し、既成靴２１の裏革部２３との対向面側に接着層３４を設けて形成した。【選択図】図２
2008194079.tif 000002
【特許請求の範囲】
【請求項１】
靴を履いた際の足にあって足根骨を構成している内側楔状骨から第１中足骨側へと至る内側面領域との対面位置にある表革部と裏革部との間と、同じく足根骨を構成している立方骨から第５中足骨側へと至る外側面領域との対面位置にある表革部と裏革部との間とのそれぞれには、縁辺方向に向けて薄肉化した斜面部をその周縁部に設けてなるパッドを、前記斜面部が前記裏革部側と対面する位置関係のもとで各別に介在配置させたことを特徴とする靴。
【請求項２】
既成靴のつま先領域を除く内底面上に敷き込まれる底面載置部と該底面載置部から延設された内側翼片部と外側翼片部とを備える中敷き本体と、前記内側翼片部と前記外側翼片部とに各別に接合固着されるパッドとで構成され、
前記内側翼片部は、足根骨を構成している内側楔状骨から第１中足骨側へと至る内側面領域との対面位置にある裏革部への対面配置を自在に延設され、
前記外側翼片部は、前記足根骨を構成している立方骨から第５中足骨側へと至る外側面領域との対面位置にある裏革部への対面配置を自在に延設され、
前記パッドは、縁辺方向に向けて薄肉化した斜面部をその周縁部に備えて形成され、前記内側翼片部と前記外側翼片部との各裏面に前記斜面部側を対面させて各別に接合固着するとともに、既成靴の前記裏革部との対向面側に接着層を設けたことを特徴とする既成靴用中敷き。
【請求項３】
パッドの前記接着層には、剥離シートを覆設した請求項２に記載の既成靴用中敷き。
【発明の詳細な説明】
【技術分野】
【０００１】
本発明は、歩行時における足の異常な傾きを修正した正しい姿勢のもとで快適に歩くことができる靴および既成靴用中敷きに関するものである。
【背景技術】
【０００２】
足の洋服ともいわれる靴は、履いた際のフィット形状が一人一人で異なっている。このため、人は、自分の足によく馴染む靴を選んで履くことにより、例えばたこができたり外反母趾にならないような対策を講じてきている。
【０００３】
しかし、例えばデパートの店員やスチュワーデスなどのように制服を着用して仕事をしなければならない人は、自分の足によく馴染むとはいい難い会社側から支給されたお仕着せの靴を仕事中に履き続けることが強いられる。
【０００４】
また、足にできたたこや外反母趾などに起因する歩行時の痛みに悩まされている人のなかには、靴の中に適宜構造の中敷きを敷き込んで、歩行時に感じる痛みを少しでも和らげようとしている人もいる。このような要請に鑑みて、本発明者は、下記特許文献１に示すように、歩行時の痛みを効果的に緩和することができる矯正中敷きを既に提案している。
【特許文献１】特許第３８０５９３７号公報
【０００５】
ところで、図３に示す平面視方向での骨格構成を示す説明図からも明らかなように、人間の足（図示例では左足）１は、インステップ部１ａから後方に位置する後足部１ｂである踵周りを形成している足根骨２と、該足根骨２と趾骨９との間に位置する中足部１ｃとしての中足骨８と、該中足骨８の先に位置する前足部１ｄとしての趾骨９とで構成されている。
【０００６】
これらのうち、足根骨２は、３個の楔状骨３である内側楔状骨３ａと中間楔状骨３ｂと外側楔状骨３ｃとのほか、舟状骨４と立方骨５と距骨６と踵骨７とから成り立っている。また、足根骨２と趾骨９とにはさまれる中足骨８は、細長い５本の骨である第１中足骨８ａ〜第５中足骨８ｅとで成り立っている。さらに、趾骨９は、母趾９ａを含む５趾から成り立っている。
【０００７】
このような足骨格を有する人間は、踵骨７を外側に傾斜させた状態のもとで歩行する傾向にある。そして、歩行時における傾斜角度が２５度以内である場合には、痛みを伴うほどの障害が発生することはないとされている。しかし、傾斜角度が２５度以上となる場合には、歩行時に立方骨５から第５中足骨８ｅへと至る部分が痛んだり、その反動から趾骨９における母趾９ａが外反する外反母趾を発生させて歩行時の疼痛に悩まされる傾向が特に顕著となる。
【発明の開示】
【発明が解決しようとする課題】
【０００８】
ところで、上記したメカニズムのもとで発生する歩行時における痛みは、従来からある矯正中敷きを靴の中に敷き込んでもある程度は緩和させることができる。しかし、人によっては、上記矯正中敷きを靴の中に敷き込んでも、その痛みが緩和されない場合もある。また、仕事をする人のなかには、上記矯正中敷きを敷き込めないお仕着せの靴を履かざるを得ない人もいる。このような状況にある人にとっては、靴を履いての歩行時に依然としてたこや外反母趾などに起因する痛みに悩まされ続ける不都合があった。
【０００９】
本発明は、従来手法にみられた上記課題に鑑み、本発明者の長年に亘る経験から、歩行時に足が外側へと流れるように傾き、その傾きを内側に戻すように修正する動きに起因して歩行時に痛みを発生させることが解明され、この知見に基づいて歩行時における足の異常な傾きを修正して正しい姿勢で歩くことができるようにした靴および既成靴用中敷きを提供することに目的がある。
【課題を解決するための手段】
【００１０】
本発明は、上記目的を達成すべくなされたものであり、そのうちの第１の発明（靴）は、靴を履いた際の足にあって足根骨を構成している内側楔状骨から第１中足骨側へと至る内側面領域との対面位置にある表革部と裏革部との間と、同じく足根骨を構成している立方骨から第５中足骨側へと至る外側面領域との対面位置にある表革部と裏革部との間とのそれぞれには、縁辺方向に向けて薄肉化した斜面部をその周縁部に設けてなるパッドを、前記斜面部が前記裏革部側と対面する位置関係のもとで各別に介在配置させたことを最も主要な特徴とする。
【００１１】
また、第２の発明（既成靴用中敷き）は、既成靴のつま先領域を除く内底面上に敷き込まれる底面載置部と該底面載置部から延設された内側翼片部と外側翼片部とを備える中敷き本体と、前記内側翼片部と前記外側翼片部とに各別に接合固着されるパッドとで構成され、前記内側翼片部は、足根骨を構成している内側楔状骨から第１中足骨側へと至る内側面領域との対面位置にある裏革部への対面配置を自在に延設され、前記外側翼片部は、前記足根骨を構成している立方骨から第５中足骨側へと至る外側面領域との対面位置にある裏革部への対面配置を自在に延設され、前記パッドは、縁辺方向に向けて薄肉化した斜面部をその周縁部に備えて形成され、前記内側翼片部と前記外側翼片部との各裏面に前記斜面部側を対面させて各別に接合固着するとともに、既成靴の前記裏革部との対向面側に接着層を設けたことを最も主要な特徴とする。この場合、パッドの前記接着層には、剥離シートを覆設しておくのが好ましい。
【発明の効果】
【００１２】
第１の発明によれば、靴を履いた際の足の内側面領域と外側面領域とは、これらと対面する位置関係にある靴の表革部と裏革部との間に各別に封入されているパッドに当接支持させることができるので、その際の面接触を自然でソフトなものとするなかで、歩行時に足が外側に流れようとする傾きと、傾きを内側に戻そうとする動きとを効果的に阻止して、歩行時に痛みを発生させる主な原因である足の異常な傾きを修正しながら正しい姿勢のもとで快適に歩行することができる靴を提供することができる。
【００１３】
第２の発明によれば、既成靴用中敷きは、中敷き本体における底面載置部を既成靴の内底面上に敷き込み、各パッドのそれぞれの接着層を対面する既成靴の各裏革部側に押し付けて貼着することで、後付けで既成靴内に一体的に配置することができる。しかも、既成靴を履いた際の足の内側面領域と外側面領域とは、これらに対面する位置関係にあるパッドに当接支持させることができるので、その際の面接触を自然でソフトなものとするなかで、歩行時に足が外側に流れようとする傾きと、傾きを内側に戻そうとする動きとを効果的に阻止して、歩行時に痛みを発生させる主な原因である足の異常な傾きを修正しながら正しい姿勢のもとで快適に歩行することができる。また、パッドの接着層に剥離シートが覆設されている場合には、ベタツキをなくして既成靴内に敷き込む前の取り扱いをそれだけ容易化することができる。
【発明を実施するための最良の形態】
【００１４】
図１は、第１の発明を適用して製造される右足用の婦人靴を例に、その一部を切り開いて示す全体斜視図であり、靴１１の製造工程における所定位置の表革部１２と裏革部１３との間には、縁辺方向に向けて薄肉化した斜面部３２をその周縁部３３に設けてなるパッド２２を介在させ、該パッド２２を表革部１２と裏革部１３との間に封入した上で、完成品としての靴１１が提供されることになる。
【００１５】
これを図１および図３を参酌しながらより詳しく説明すれば、靴１１は、該靴１１を履いた際の足１にあって足根骨２を構成している内側楔状骨３ａから第１中足骨８ａ側へと至る内側面領域１０１との対面位置にある表革部１２と裏革部１３との間に、該内側面領域１０１と略一致する面形状が付与されたパッド３１を介在配置させることにより製造されている。
【００１６】
また、靴１１は、該靴１１を履いた際の足１にあって足根骨２を構成している立方骨５から第５中足骨８ｅ側へと至る外側面領域１０２との対面位置にある表革部１２と裏革部１３との間にも、該外側面領域１０２と略一致する面形状が付与されたパッド３１を介在配置させることにより製造されている。
【００１７】
この場合、各パッド３１は、防振動性に富む適宜厚さのソフトな素材、例えば羊毛などの獣毛繊維や合成繊維を圧縮してなるフェルト材により形成されたものを好適に用いることができる。
【００１８】
また、パッド３１は、足１の内側面領域１０１と外側面領域１０２とに対する面接触を自然でソフトなものとするために、縁辺方向に向けて薄肉化した斜面部３２が、その全周方向での周縁部３３に形成されている。つまり、封入後のパッド３１は、その斜面部３２が裏革部１３の側と対面する位置関係のもとで介在配置されることになる。
【００１９】
一方、図２は、既成靴と第２の発明に係る一例としての既成靴用中敷きとの配置関係を示す説明図であり、既成靴用中敷き４１は、既成靴２１の中に配置される例えば革や人工皮革からなる中敷き本体４２と、該中敷き本体４２の所定位置に接合固着されるパッド３１とで構成されている。
【００２０】
このうち、中敷き本体４２は、既成靴２１のつま先領域（図３の前足部１ｄに対応する部位）を除く内底面２２、つまり既成靴２１を履いた際の足１にあって踵骨７から中足骨８へと至る足裏と対面する部位に位置する既成靴２１の内底面２２上に敷き込まれる底面載置部４３と、該底面載置部４３から延設された内側翼片部４４と外側翼片部４５とを備えて一体形成されている。
【００２１】
この場合、内側翼片部４４は、足根骨２を構成している内側楔状骨３ａから第１中足骨８ａ側へと至る足１の内側面領域１０１との対面位置にある既成靴２１の裏革部２３への対面配置が自在となって底面載置部４３側から延設されている。
【００２２】
また、外側翼片部４５は、足根骨２を構成している立方骨５から第５中足骨８ｅ側へと至る外側面領域１０２との対面位置にある既成靴２１の裏革部２３への対面配置が自在となって底面載置部４３側から延設されている。
【００２３】
さらに、各パッド３１は、足１の内側面領域１０１と外側面領域１０２とに対する面接触を自然でソフトなものとするために、それぞれの斜面部３２側が内側翼片部４４の裏面４４ａと外側翼片部４５の裏面４５ａとに対面する配置関係のもとで各別に接合固着されている。
【００２４】
しかも、各パッド３１は、既成靴２１の裏革部２３との対向面側に接着層３４が形成されており、該接着層３４には剥離シート３５が覆設されている。
【００２５】
次に、本発明の作用効果を図２に示す第２の発明を例に説明すれば、既成靴用中敷き４１は、中敷き本体４２における底面載置部４３を既成靴２１の内底面２２に敷き込むことで配置することができる。
【００２６】
また、中敷き本体４２における内側翼片部４４の裏面４４ａと外側翼片部４５の裏面４５ａとのそれぞれには、各別にパッド３１が接合固着されているので、該パッド３１のそれぞれの剥離シート３５を引き剥がすことで直ちに接着層３４を表出させることができる。
【００２７】
このため、既成靴用中敷き４１は、中敷き本体４２における底面載置部４３を既成靴２１の内底面２２上に敷き込み、各パッド３１のそれぞれの接着層３４を対面する既成靴２１の各裏革部２３側に押し付けて貼着することで、既成靴２１内に一体的に配置することができる。
【００２８】
このようにして既成靴２１内に既成靴用中敷き４１を後付けで配置した後は、内側翼片部４４側のパッド３１を、履いた足１の内側面領域１０１に、外側翼片部４５のパッド３１を、履いた足１の外側面領域１０２にそれぞれそれ当接させることができる。これは、第１の発明である図１に示す靴１１を履いた際においても同様である。
【００２９】
このため、既成靴用中敷き４１を配置した既成靴２１を履いた際の足１の内側面領域１０１は、内側翼片部４４側のパッド３１に支持され、足１の外側面領域１０２は、外側翼片部４５のパッド３１に支持される。
【００３０】
そのため、歩行時には、足１が外側に流れようとする傾きが外側翼片部４５のパッド３１により効果的に阻止され、傾きを内側に戻そうとする動きが内側翼片部４４側のパッド３１により効果的に阻止されることになる。
【００３１】
つまり、本発明によれば、歩行時に痛みを発生させる主な原因である歩行時における足１の異常な傾きを修正し、正しい姿勢を保って快適に歩行することができることになる。
【００３２】
しかも、既成靴用中敷き４１は、例えば女性用の既成靴２１の靴サイズがＳ（２２〜２２．５ｃｍ）、Ｍ（２３〜２３．５ｃｍ）、Ｌ（２４〜２４．５ｃｍ）であっても、それぞれのサイズに適合させて対応できるように形成することができるので、従来からある矯正中敷きに不満があったり、矯正中敷きを敷き込めない靴を履かざるを得ない人であっても、既成靴２１に後付けで容易に敷き込むことができ、歩行時におけるたこや外反母趾などに起因する痛みに対する悩みを確実に解消することができる。
【００３３】
以上は、本発明を図示例に基づいて説明したものであり、その具体的な内容は、本発明の要旨を逸脱しない限り、種々の変形を加えることができる。例えば、靴１１および既成靴２１は、もとより紳士用のものであってもよく、またその種類も問わず、それぞれに適合するようにパッド３１を右足と左足とにおける最適位置に対面配置させてその使用に供することができる。また、既成靴用中敷き４１は、所望によりパッド３１の接着層３４に剥離シート３５を覆設することなく提供することもできる。さらに、既成靴用中敷き４１は、通常は左右一対として提供されることになる。
【図面の簡単な説明】
【００３４】
【図１】第１の発明を適用して製造される右足用の婦人靴を例に、その一部を切り開いて示す全体斜視図。
【図２】既成靴と第２の発明に係る一例としての既成靴用中敷きとの配置関係を示す説明図。
【図３】人間の足（図示例では左足）の平面視方向での骨格構成を示す説明図。
【符号の説明】
【００３５】
１  足
１ａ  インステップ部
１ｂ  後足部
１ｃ  中足部
１ｄ  前足部
２  足根骨
３  楔状骨
３ａ  内側楔状骨
３ｂ  中間楔状骨
３ｃ  外側楔状骨
４  舟状骨
５  立方骨
６  距骨
７  踵骨
８  中足骨
８ａ  第１中足骨
８ｂ  第２中足骨
８ｃ  第３中足骨
８ｄ  第４中足骨
８ｅ  第５中足骨
９  趾骨
９ａ  母趾
１０１  内側面領域
１０２  外側面領域
１１  靴
１２  表革部
１３  裏革部
２１  既成靴
２２  内底面
２３  裏革部
３１  パッド
３２  斜面部
３３  周縁部
３４  接着層
３５  剥離シート
４１  既成靴用中敷き
４２  中敷き本体
４３  底面載置部
４４  内側翼片部
４４ａ  裏面
４５  外側翼片部
４５ａ  裏面
【図１】
2008194079.tif 000003
【図２】
2008194079.tif 000004
【図３】
2008194079.tif 000005